(57)【要約】【課題】  ゴルフクラブ又はゴルフのピンフラッグを拾い上げることもできるゴルフボール拾い具を提供すること。【解決手段】  本発明は、ゴルフクラブのグリップＧＰ又は他の棒状物の一端部に装着される基部１から延設され、ゴルフボールの球面形状に沿った内面２ａを有し、ゴルフボールを内側に嵌め込み保持するための開口２ｂを先端側に備えた本体部２と、当該本体部２の先端部側から設けられたシャフト挿入部４と、前記本体部２の先端部から前記開口２ｂに沿うように水平方向に延設され、前記シャフト挿入部４の先端部を部分的に閉じるアーム部５と、を有し、水平方向に延びる前記アーム部５の上側に地面に置かれたゴルフクラブのシャフトＳ又はゴルフのピンフラッグの支柱部分を載せて持ち上げることができるゴルフボール拾い具１０である。【選択図】図１
2018019758.tif 000002
【特許請求の範囲】
【請求項１】
ゴルフクラブのグリップ又は他の棒状物の一端部に装着される基部と、
当該基部から延設され、ゴルフボールの球面形状に沿った内面を有し、ゴルフボールを内側に嵌め込み保持するための開口を先端側に備えた本体部と、
当該本体部の先端部側から切欠を形成することで設けられたシャフト挿入部と、
前記本体部の先端部から前記開口に沿うように水平方向に延設され、前記シャフト挿入部の先端部を部分的に閉じるアーム部と、
を有し、
ゴルフクラブのグリップ又は他の棒状物の一端部に装着された状態でそれらの他端側を持つことで、水平方向に延びる前記アーム部の上側に地面に置かれたゴルフクラブのシャフト又はゴルフのピンフラッグの支柱部分を載せて持ち上げることができることを特徴とするゴルフボール拾い具。
【請求項２】
前記本体部は、弾性変形可能な合成樹脂材料から構成されており、ゴルフボールを上から押さえ付けることでゴルフボールの少なくとも上側半分までを内側に嵌め込み保持することができるものであり、
前記アーム部は、当該本体部の内側に嵌め込まれたゴルフボールの外面に沿うように円弧状に湾曲形成されていることを特徴とする請求項１に記載のゴルフボール拾い具。
【請求項３】
前記アーム部の先端部は、当該アーム部の上側に配置されたゴルフクラブのシャフト又はゴルフのピンフラッグの支柱部分が抜け落ちにくくなるように、山形に形成されていることを特徴とする請求項１又は２に記載のゴルフボール拾い具。
【請求項４】
前記アーム部の先端部は、地面に置かれたゴルフクラブのシャフト又はゴルフのピンフラッグの支柱部分の下側に差し込み易いように、先端ほど上下方向の厚みが薄くなる下向きの傾斜面状に形成されていることを特徴とする請求項１〜３の何れか一項に記載のゴルフボール拾い具。
【請求項５】
前記本体部の開口及び前記アーム部は、ゴルフボールを上から押さえ付ける際に本体部の内側にゴルフボールを嵌め込み易いように、下端部の内径が拡開するように斜状に形成されていることを特徴とする請求項１〜４の何れか一項に記載のゴルフボール拾い具。
【請求項６】
前記シャフト挿入部が形成されている個数は、２〜４個の範囲内であり、前記アーム部の個数は、１〜４個の範囲内であることを特徴とする請求項１〜５の何れか一項に記載のゴルフボール拾い具。
【請求項７】
前記シャフト挿入部及び前記アーム部はそれぞれ複数個形成されており、さらに、前記アーム部は、前記基部を中心として右回りの同一方向又は左回りの同一方向を向いて前記本体部から延設されていることを特徴とする請求項１〜６の何れか一項に記載のゴルフボール拾い具。
【発明の詳細な説明】
【技術分野】
【０００１】
本発明は、ゴルフボール拾い具に関するものであって、ゴルフボールを拾い上げることに使用できるばかりか、ゴルフクラブやゴルフのピンフラッグを拾い上げることもできるゴルフボール拾い具に関するものである。
【背景技術】
【０００２】
従来、立ったままの姿勢にてカップインしたゴルフボールを拾い上げるためのゴルフボール拾い具として、パターのグリップエンド部分（上端部）に弾性変形する複数本の挟持片を固定するように装着し、それらの狭持片によってゴルフボールを挟み込んで拾い上げるようにしたものが提案されている（特許文献１〜３）。
【０００３】
さらに、パターの上端部にゴルフボールを吸い付けるようにしたり、強く嵌め込み摩擦力にてゴルフボールを保持して拾い上げるようにしたゴルフボール拾い具が提案されているが、このようなゴルフボール拾い具においては、ゴムが劣化した場合や、ゴルフボールに土や芝が付着している場合に、ゴルフボールを上手に拾い上げることができないという問題が生じる（特許文献４，５）。
【先行技術文献】
【特許文献】
【０００４】
【特許文献１】特開平７−２３６７０９号公報
【特許文献２】特許第５１４８７６９号公報
【特許文献３】特開平７−３１３６３３号公報
【特許文献４】特開昭５９−８８１７１号公報
【特許文献５】特開２０１０−２５３０９８号公報
【発明の概要】
【発明が解決しようとする課題】
【０００５】
本発明が解決しようとする課題は、従来のゴルフボール拾い具においては、ゴルフコースのグリーン周辺上などに置かれたゴルフクラブやピンフラッグを拾い上げることについては何ら考慮されておらず、従来のゴルフボール拾い具によってはゴルフクラブやピンフラッグを拾い上げることができないことである。
【０００６】
そこで、本発明の目的は、ゴルフボールを簡単かつ確実に拾い上げることができるのみならず、ゴルフクラブやピンフラッグを拾い上げることにも使用できるゴルフボール拾い具を提供することにある。
【課題を解決するための手段】
【０００７】
本発明は、「ゴルフクラブのグリップ又は他の棒状物の一端部に装着される基部と、当該基部から延設され、ゴルフボールの球面形状に沿った内面を有し、ゴルフボールを内側に嵌め込み保持するための開口を先端側に備えた本体部と、当該本体部の先端部側から切欠を形成することで設けられたシャフト挿入部と、前記本体部の先端部から前記開口に沿うように水平方向に延設され、前記シャフト挿入部の先端部を部分的に閉じるアーム部と、を有し、ゴルフクラブのグリップ又は他の棒状物の一端部に装着された状態でそれらの他端側を持つことで、水平方向に延びる前記アーム部の上側に地面に置かれたゴルフクラブのシャフト又はゴルフのピンフラッグの支柱部分を載せて持ち上げることができるゴルフボール拾い具」を最も主要な特徴とするものである。
【０００８】
本発明のゴルフボール拾い具において、前記本体部は、弾性変形可能な合成樹脂材料から構成されており、ゴルフボールを上から押さえ付けることでゴルフボールの少なくとも上側半分までを内側に嵌め込み保持することができるものであり、前記アーム部は、当該本体部の内側に嵌め込まれたゴルフボールの外面に沿うように円弧状に湾曲形成されているものであってもよい。
【０００９】
さらに、本発明のゴルフボール拾い具において、前記アーム部の先端部は、当該アーム部の上側に配置されたゴルフクラブのシャフト又はゴルフのピンフラッグの支柱部分が抜け落ちにくくなるように、山形に形成されているものであってもよい。
本発明のゴルフボール拾い具において、前記アーム部の先端部は、地面に置かれたゴルフクラブのシャフト又はゴルフのピンフラッグの支柱部分の下側に差し込み易いように、先端ほど上下方向の厚みが薄くなる下向きの傾斜面状に形成されているものであってもよい。
【００１０】
本発明のゴルフボール拾い具において、前記本体部の開口及び前記アーム部は、ゴルフボールを上から押さえ付ける際に本体部の内側にゴルフボールを嵌め込み易いように、下端部の内径が拡開するように斜状に形成されているものであってもよい。
本発明のゴルフボール拾い具において、前記シャフト挿入部が形成されている個数は、２〜４個の範囲内であり、前記アーム部の個数は、１〜４個の範囲内であるとよい。
本発明のゴルフボール拾い具において、前記シャフト挿入部及び前記アーム部はそれぞれ複数個形成されており、さらに、前記アーム部は、前記基部を中心として右回りの同一方向又は左回りの同一方向を向いて前記本体部から延設されているものであってもよい。
【発明の効果】
【００１１】
上記のように構成した本発明のゴルフボール拾い具においては、基部によってゴルフクラブのグリップ又は他の棒状物の一端部に装着された状態で、ゴルフクラブのヘッド側又は他の棒状物の他端側を持つことにより、地面（ゴルフコースの芝生の上）に置かれたゴルフクラブのシャフト又はゴルフのピンフラッグの支柱部分の上からシャフト挿入部を対応させ、本体部の間に挟み込むようにしてからゴルフボール拾い具を回すことで、アーム部の上にゴルフクラブのシャフト又はピンフラッグの支柱部分が乗り上げ、アーム部の奥まで案内されて保持される。
そこで、前記アーム部の上側にゴルフクラブのシャフト又はピンフラッグの支柱部分を載せて持ち上げることで、ゴルフクラブ又はピンフラッグを簡単に拾い上げることができる。
【００１２】
さらに、本発明のゴルフボール拾い具においては、ゴルフクラブのヘッド側又は他の棒状物の他端側を持つことにより、ゴルフボールの上から本体部の開口を被せるようにしてゴルフボール拾い具をゴルフボールに押さえ付けることで、ゴルフボールが開口から本体部の内側に嵌まり込むため、立ったままの姿勢にてカップインしたゴルフボールなどを簡単に拾い上げることができる。
【００１３】
本発明のゴルフボール拾い具において、前記本体部が、弾性変形可能な合成樹脂材料から構成されており、ゴルフボールを上から押さえ付けることでゴルフボールの少なくとも上側半分までを内側に嵌め込み保持することができるものであり、前記アーム部が、当該本体部の内側に嵌め込まれたゴルフボールの外面に沿うように円弧状に湾曲形成されているものとすることで、本体部の開口が開いて本体部の内側にゴルフボールを簡単、迅速かつ確実に嵌め込み保持することができ、かつ、本体部及びアーム部がコンパクトな形態となり、アーム部が服に引っ掛かるというようなことによってゴルフのプレーの邪魔になることを防ぐことができる。
【００１４】
本発明のゴルフボール拾い具において、前記アーム部の先端部が、山形に形成されている場合には、当該アーム部の上側に配置されたゴルフクラブのシャフト又はゴルフのピンフラッグの支柱部分がアーム部の奥に保持されて抜け落ちにくくなり、ゴルフクラブ又はピンフラッグを確実に拾い上げることができる。
【００１５】
本発明のゴルフボール拾い具において、前記アーム部の先端部が、先端ほど上下方向の厚みが薄くなる下向きの傾斜面状に形成されている場合には、地面に置かれたゴルフクラブのシャフト又はピンフラッグの支柱部分の下側に当該アーム部を差し込み易くなり、ゴルフクラブ又はピンフラッグをスムーズに拾い上げることができる。
【００１６】
本発明のゴルフボール拾い具において、前記本体部の開口及び前記アーム部が、下端部の内径が拡開するように斜状に形成されている場合には、ゴルフボールを上から押さえ付ける際に本体部の内側にゴルフボールを案内して嵌め込み易く、ゴルフボールをスムーズに拾い上げることができる。
【００１７】
本発明のゴルフボール拾い具において、前記シャフト挿入部が形成されている個数が２〜４個の範囲内であり、前記アーム部の個数が１〜４個の範囲内であれば、前記シャフト挿入部の幅を確保しつつ前記本体部の強度を確保でき、ゴルフクラブ又はピンフラッグを拾う場合にもゴルフボールを拾う場合にも適したゴルフボール拾い具を提供することができる。
【００１８】
本発明のゴルフボール拾い具において、前記シャフト挿入部及び前記アーム部がそれぞれ複数個形成されており、さらに、前記アーム部が、前記基部を中心として右回りの同一方向又は左回りの同一方向を向いて前記本体部から延設されている場合には、ゴルフクラブ又はピンフラッグを拾う場合に、ゴルフボール拾い具を前記アーム部が延設されている方向に回すことで、即ち、ゴルフボール拾い具が装着されているゴルフクラブのグリップ又は他の棒状物の長手方向を回転軸としてゴルフボール拾い具を回すことで、本体部にゴルフクラブのシャフト又はピンフラッグの支柱部分を逃がすこと無く当接させて前記アーム部の奥にシャフト又は支柱部分を簡単かつ確実に載せることができる。
【図面の簡単な説明】
【００１９】
【図１】図１（Ａ）〜（Ｄ）は本発明を具体化したゴルフボール拾い具を示す図であって、（Ａ）は平面図、（Ｂ）は正面図、（Ｃ）はゴルフクラブのグリップに装着された状態の正面図、（Ｄ）は底面図である。
【図２】図２（Ａ）及び（Ｂ）は本発明を具体化したゴルフボール拾い具を示す図であって、（Ａ）は側面図、（Ｂ）は図１（Ａ）のＸ−Ｘ線断面図である。
【図３】図３（Ａ）及び（Ｂ）は本発明を具体化したゴルフボール拾い具によってゴルフボールを拾う様子を示す正面図である。
【図４】図４（Ａ）〜（Ｄ）は本発明を具体化したゴルフボール拾い具によってゴルフクラブを拾う様子を示す図であって、（Ａ）は側面図、（Ｂ）は縦断面図、（Ｃ）は側面図、（Ｄ）は縦断面図である。
【図５】図５（Ａ）〜（Ｄ）は本発明を具体化したゴルフボール拾い具の他の実施形態を示す図であって、（Ａ）〜（Ｃ）は平面図、（Ｄ）はゴルフクラブのグリップに装着された状態の部分断面図である。
【発明を実施するための形態】
【００２０】
本発明は、「ゴルフクラブのグリップ又は他の棒状物の一端部に装着される基部と、当該基部から延設され、ゴルフボールの球面形状に沿った内面を有し、ゴルフボールを内側に嵌め込み保持するための開口を先端側に備えた本体部と、当該本体部の先端部側から切欠を形成することで設けられたシャフト挿入部と、前記本体部の先端部から前記開口に沿うように水平方向に延設され、前記シャフト挿入部の先端部を部分的に閉じるアーム部と、を有し、ゴルフクラブのグリップ又は他の棒状物の一端部に装着された状態でそれらの他端側を持つことで、水平方向に延びる前記アーム部の上側に地面に置かれたゴルフクラブのシャフト又はゴルフのピンフラッグの支柱部分を載せて持ち上げることができるゴルフボール拾い具」であって、以下において説明する実施形態などにより好適に具体化することができる。
【００２１】
以下、本発明のゴルフボール拾い具を具体化した一実施形態について説明する。
図１〜図４に示すように、本発明の一実施形態のゴルフボール拾い具１０は、ゴルフクラブのグリップＧＰ又は他の棒状物の一端部に装着するための基部１と、当該基部１から下方に向けて延設された本体部２であってゴルフボールＧＢの球面形状に沿った内面２ａを有し、ゴルフボールＧＢを内側に嵌め込み保持するための開口２ｂを先端側に備えた本体部２を有している。
そして、この本体部２の内面２ａによってゴルフボール収納空間３が形成されている。
【００２２】
さらに、本発明の一実施形態の前記ゴルフボール拾い具１０は、前記本体部２の先端部側から１８０度離れた向き合った位置に切欠を計２箇所形成することで設けられた２個のシャフト挿入部４と、前記本体部２の先端部から前記開口２ｂに沿うように水平方向に延設され、前記シャフト挿入部４の先端部を部分的に閉じる２個のアーム部５と、を有している。
【００２３】
前記ゴルフボール拾い具１０の前記基部１は、円盤状又は円柱状に形成されており、外周には滑り止めのためのローレット加工が施されている。
さらに、前記基部１には、ゴルフクラブ上端のグリップＧＰに設けられている小孔ｈにねじ込むことができるタッピングねじ１ａが当該基部１の上面中央から上方に向けて突出するように固定されている。
ここで、前記グリップＧＰの小孔ｈの大きさは、一般的に深さが９ｍｍ以内、直径が３〜４ｍｍであるため、一例として、タッピングねじ１ａとして基部１から突出する長さが１６ｍｍ、太さが６ｍｍのものを用いることで、タッピングねじ１ａをグリップＧＰの端部に深くねじ込んで、前記ゴルフボール拾い具１０をグリップＧＰに強固に固定することができる。
【００２４】
前記タッピングねじ１ａは、ゴルフクラブのグリップＧＰに代えて、他の棒状物の一端部にねじ込むことで、他の棒状物にゴルフボール拾い具１０を装着して使用することもできる。
また、前記タッピングねじ１ａの頭部は、基部１に埋め込まれた状態で強固に固定されるように、六角柱状のものを用いるとよい。
【００２５】
この実施形態の前記ゴルフボール拾い具１０は、金属製の前記タッピングねじ１ａを除き、全体がＴＰＵ（熱可塑性ポリウレタン）、ＰＰ（ポリプロピレン）、ＴＰＯ（ポリオレフィン系エラストマー）、ＰＶＣ（ポリ塩化ビニル）、ＥＶＡ（エチレン−酢酸ビニル共重合体）又はＰＥ（ポリエチレン）などの合成樹脂などから構成することができるものであり、薄い板状の前記本体部２及び細い棒状のアーム部５が弾性変形可能となっている。
また、前記本体部２の上下方向の長さは約３０ｍｍであり、ゴルフボールＧＢの上側半分以上を挟み込むことができるようになっている。さらに、シャフト挿入部４が形成された後の本体部２の幅は１６ｍｍ〜２５ｍｍであり、基部１付近が細くなっているため、本体部２の先端側を開くように変形しやすくなっている。
【００２６】
この実施形態の前記ゴルフボール拾い具１０において、前記本体部２の先端に形成された開口２ｂの直径は約３３ｍｍであり、前記本体部２が若干変形することで、当該本体部２の内面２ａによって形成されるゴルフボール収納空間３内へ直径約４３ｍｍのゴルフボールＧＢを嵌め込み、そのまま保持することができるようになっている。
なお、前記シャフト挿入部４の幅は２０〜３５ｍｍであり、ゴルフボール収納空間３内のゴルフボールＧＢを指で外しやすくなっている。
【００２７】
この実施形態の前記ゴルフボール拾い具１０において、前記２個のアーム部５は、前記基部１側から見て当該基部１を中心として右回りの同一方向を向いて前記本体部２の片側から延設されている（図１（Ａ）参照）。
よって、ゴルフクラブ又はピンフラッグを拾う場合に、ゴルフボール拾い具１０を右方向（時計回り方向）に回すことで、本体部２にゴルフクラブのシャフトＳ又はピンフラッグの支柱部分を逃がすこと無く当接させて前記アーム部５の奥にシャフトＳ又は支柱部分を簡単かつ確実に載せることができる。
なお、この実施形態の前記ゴルフボール拾い具１０において、前記アーム部５の長さは約１５ｍｍであり、当該アーム部５の先端と前記本体部２との隙間は約１２ｍｍである。
【００２８】
前記アーム部５の先端部は、当該アーム部５の上側に配置されたゴルフクラブのシャフトＳ又はピンフラッグの支柱部分が抜け落ちにくくなるように、上方に向けて突出する突部５ａによって山形となるように形成されている。
前記アーム部５の突部５ａの頂部から本体部２の側面までの間には、ゴルフクラブの直径１３ｍｍ程度のシャフトＳを丁度載せられるように、アーム部５の上側面の長さが設定されており、かつ、当該アーム部５の上側面両端部が弧状に形成されている（図１（Ｃ）参照）。
なお、ピンフラッグの支柱部分の直径も約１３ｍｍ程度のものが一般的である。
【００２９】
上記のようにアーム部５に突部５ａが設けられていることにより、ゴルフクラブのシャフトＳ又はピンフラッグの支柱部分はアーム部５の奥に載せられて保持されるため、アーム部５の耐荷重を大きくすることができる。
ここで、アイアンゴルフクラブの重さは、約３５０〜４５０ｇ程度であり、ピンフラッグの重さは８００ｇ程度である。従って、これらを前記アーム部５の上に載せて一端側を持ち上げるには、約５Ｎの荷重が加わるため、前記アーム部５は、約５〜７Ｎの荷重に耐えられるものであるとよい。
【００３０】
さらに、前記アーム部５の先端部は、地面に置かれたゴルフクラブのシャフトＳ又はピンフラッグの支柱部分の下側に差し込み易いように、前記突部５ａの側面に斜面５ｂが設けられ、前記アーム部５の先端ほど上下方向の厚みが薄くなる下向きの傾斜面状に形成されている（図１（Ｂ）に示す約３５．５度の斜面）。
また、前記本体部２の開口２ｂ及び前記アーム部５は、ゴルフボールＧＢを上から押さえ付ける際に本体部２の内側にゴルフボールＧＢを嵌め込み易いように、下端部の内径が拡開するようにテーパー２ｃが設けられて斜状に形成されている。
なお、前記開口２ｂ及び前記アーム部５のテーパー２ｃは、図２（Ｂ）に示すように、約４５度に形成されている。
【００３１】
次に、上記にて説明したゴルフボール拾い具１０を製造する方法について説明する。
上記実施形態のゴルフボール拾い具１０は、タッピングねじ１ａを基部１に埋め込んだ状態で樹脂成形により一体成形することで簡単に製造可能である。
【００３２】
上記のように構成されたゴルフボール拾い具１０の使用方法について説明する。
このゴルフボール拾い具１０は、カップインしたゴルフボールＧＢを拾い上げる場合、及び、グリーン周りに置いたゴルフクラブ又はピンフラッグを拾い上げる場合に好適に使用することができるものであるため、パターのグリップエンドに設けられている小孔ｈにタッピングねじ１ａをねじ込むことで、基部１をグリップＧＰに固定しておくと良い。
【００３３】
ゴルフボール拾い具１０の本体部２及びアーム部５はゴルフボールＧＢの外面に沿うように内側に向けて湾曲したコンパクトな形態、即ち、必要最小限の大きさとなっており、服などに引っ掛かりにくく、ゴルフボール拾い具１０を装着したままの状態で、パターを使用することが可能である。
また、持ち運びの際やキャディバッグ内への収納の際にもゴルフボール拾い具１０が特に邪魔になることもない。
【００３４】
ゴルフボールＧＢを拾い上げる場合には、図３（Ａ）に示すようにゴルフボールＧＢの上から本体部２の開口２ｂを被せるようにしてゴルフボール拾い具１０をゴルフボールＧＢに押さえ付けることで、本体部２とアーム部５が外方へ撓むことで開口２ｂが広がり、ゴルフボールＧＢが開口２ｂのテーパー２ｃに案内されて本体部２の内側のゴルフボール収納空間３にスムーズに嵌まり込む。
すると、本体部２及びアーム部５が元の形状に弾性変形しようとすることによってゴルフボールＧＢがゴルフボール収納空間３内に保持されるため、図３（Ｂ）に示すようにゴルフボールＧＢを速やかに拾い上げることが可能となる。
【００３５】
本体部２の内側に嵌まり込んだゴルフボールＧＢは、シャフト挿入部４において外部に露出しているため、指にて簡単に取り外すことができる。
ゴルフクラブ又はピンフラッグを拾い上げる場合には、図１（Ｄ）及び図４に示すようにゴルフクラブのシャフトＳ又はピンフラッグの支柱部分の上からシャフト挿入部４を対応させ、本体部２の間に挟み込むようにしてからゴルフボール拾い具１０を回すことで、アーム部５の上にゴルフクラブのシャフトＳ又はピンフラッグの支柱部分が乗り上げ、アーム部５の奥まで案内されて保持される。
【００３６】
このゴルフボール拾い具１０を前記アーム部５が延設されている方向に回すことで、即ち、ゴルフボール拾い具１０が装着されているゴルフクラブのグリップＧＰ又は他の棒状物の長手方向を回転軸としてゴルフボール拾い具１０を回すことで、ゴルフクラブのシャフトＳ又はピンフラッグの支柱部分が本体部２の側面に当接するため、ゴルフクラブのシャフトＳ又はピンフラッグの支柱部分を前記アーム部５の奥に簡単かつ確実に載せることができる。
そこで、ゴルフボール拾い具１０を引き上げることで、ゴルフクラブ又はピンフラッグを簡単かつ確実に拾い上げることが可能となる。
【００３７】
即ち、上記の実施形態のゴルフボール拾い具１０は、本体部２によって形成されるゴルフボールＧＢを嵌め込むための開口２ｂの中心を中心として点対称となる位置に２個のアーム部５が形成されていることで、ゴルフクラブのヘッド側を持ってゴルフボール拾い具１０を回すことで、地面にあるゴルフクラブのシャフトＳ又はピンフラッグの支柱部分が逃げること無くアーム部５の奥まで導く操作を簡単かつ確実に行うことができる。
【００３８】
本発明は上記の実施形態にて説明したゴルフボール拾い具１０に限定されるものではなく、例えば、（１）本体部２の上下方向の長さが短い場合、（２）本体部２の幅が短い場合、（３）本体部２によってゴルフボールＧＢを挟む力が弱い場合、（４）本体部２がほとんど弾性変形しない材料から形成されている場合などにおいては、本体部２の内面２ａにゴルフボールＧＢと密着する粘性を備えたシート又はパッドなどを配置し、ゴルフボールＧＢが本体部２の内側から外れ落ちにくくして実施してもよい。
【００３９】
また、アーム部５の強度を高めるために、その内部に線状又は板状の金属部品などを埋め込んでもよく、アーム部分５のみを本体部２とは異なる硬質材料から設けてもよい。
さらに、本体部２の内面は、ゴルフボールＧＢの球面形状に沿うように湾曲形成した線状の部材から構成される枠体によって提供されるものであってもよい。
【００４０】
本発明の他の実施形態のゴルフボール拾い具として、図５（Ａ）に示すように、本体部２の両側にアーム部５を設けてアーム部５の個数を４個としたゴルフボール拾い具１１として具体化してもよい。
この場合、ゴルフボール拾い具１１を右回りの方向に回しても左回りの方向に回してもシャフト挿入部４に入れられたゴルフクラブのシャフトＳ又はピンフラッグの支柱部分を速やかにアーム部５の上に載せることができ、ゴルフクラブ又はピンフラッグを速やかに拾い上げることが可能となる。
【００４１】
さらに、本発明の他の実施形態のゴルフボール拾い具として、図５（Ｂ）に示すようにアーム部５の個数を３個としたゴルフボール拾い具１２として具体化したり、図５（Ｃ）に示すようにアーム部５の個数を１個に変更して具体化したゴルフボール拾い具１３としたり、シャフト挿入部４の個数を３個又は４個に変更して具体化したり、本体部２の上下方向の長さを変更して具体化したり、本体部２の幅を変更して具体化してもよい。
【００４２】
また、本発明は、図５（Ｄ）に示すように、ゴルフクラブのグリップＧＰの端部又は他の棒状物の一端部に嵌め込むことができる筒状部１ｂを基端部に備えたゴルフボール拾い具１４として具体化して実施してもよい。
また、本発明は、ゴルフクラブのグリップＧＰ又は他の棒状物と一体成形した基部を有するゴルフボール拾い具として具体化して実施してもよい。
【００４３】
なお、本発明のゴルフボール拾い具において、アーム部が「シャフト挿入部の先端部を部分的に閉じる」とは、シャフト挿入部にゴルフクラブのシャフト又はゴルフのピンフラッグの支柱部分を入れることができるとともに、当該アーム部の上側に前記シャフト又は前記支柱部分を載せることができればよく、シャフト挿入部の先端部を隙間無く閉じているが、シャフト又は支柱部分によってアーム部を曲げてシャフト挿入部の先端部を開くことができるようになっている場合も「シャフト挿入部の先端部を一時的に開く」ものであり、「シャフト挿入部の先端部を部分的に閉じる」という本発明の構成に含まれるものである。
【００４４】
さらに、本発明は、その趣旨を逸脱しない範囲でゴルフボール拾い具のアーム部の長さや形状を変更するなど、各部の材質、形状、寸法、角度、設置位置、数などを適宜変更して実施してもよい。
【産業上の利用可能性】
【００４５】
本発明は、ゴルフクラブ又はゴルフのピンフラッグについても拾い上げることができ、用途が広く、操作性にも優れたゴルフボール拾い具として好適に利用可能である。
【符号の説明】
【００４６】
１    基部
１ａ  タッピングねじ
１ｂ  筒状部
２    本体部
２ａ  内面
２ｂ  開口
２ｃ  テーパー
３    ゴルフボール収納空間
４    シャフト挿入部
５    アーム部
５ａ  突部
５ｂ  斜面
１０〜１４    ゴルフボール拾い具
ＧＢ  ゴルフボール
ＧＰ  グリップ
ｈ    小孔
Ｓ    ゴルフクラブのシャフト（又はピンフラッグの支柱部分）
【図１】
2018019758.tif 000003
【図２】
2018019758.tif 000004
【図３】
2018019758.tif 000005
【図４】
2018019758.tif 000006
【図５】
2018019758.tif 000007